(57)【要約】【課題】お墓を持たない故人への追憶の場を構築する技術を提供すること、お墓を持つ個人に対しても充実した追憶の場を構築する技術を提供することを課題とする。【解決手段】ユーザＡ記念館ページ５０は、ユーザＡの生存中において公開される。ユーザＡの生存中は、ユーザＡのプロフィールが記載されたＭａｉｎページ５１や、思い出の写真データなどが表示されるＭｅｍｏｒｉａｌ・Ｇａｌｌｅｒｙページ５２などが公開される。ユーザＡが死亡すると、ユーザＡ記念館ページ５０に、Ｍｅｓｓａｇｅページ５４とＶｉｓｉｔｉｎｇページ５５が追加される。Ｖｉｓｉｔｉｎｇページ５５にアクセスした訪問者は、ユーザＡの通夜や葬儀に参列したのと同様の、あるいは墓参りに訪れたのと同様の意味を有する操作を行うことができる。【選択図】図７
2010207514.tif 000002
【特許請求の範囲】
【請求項１】
ユーザのプロフィールを記録したＷＥＢページを、前記ユーザの生存中にインターネットを通じて公開するＷＥＢページ公開工程と、
前記ユーザが死亡したとき、前記ＷＥＢページに前記ユーザの死を悼む追悼用コンテンツを追加する追悼用コンテンツ追加工程と、
を備え、
前記追悼用コンテンツには、前記ＷＥＢページにインターネットを通じて訪問した訪問者に対して、通夜に参列することを意味するアクセス操作を可能とするコンテンツが含まれることを特徴とする追悼ＷＥＢページの公開方法。
【請求項２】
ユーザのプロフィールを記録したＷＥＢページを、前記ユーザの生存中にインターネットを通じて公開するＷＥＢページ公開工程と、
前記ユーザが死亡したとき、前記ＷＥＢページに前記ユーザの死を悼む追悼用コンテンツを追加する追悼用コンテンツ追加工程と、
を備え、
前記追悼用コンテンツには、前記ＷＥＢページにインターネットを通じて訪問した訪問者に対して、葬儀に参列することを意味するアクセス操作を可能とするコンテンツが含まれることを特徴とする追悼ＷＥＢページの公開方法。
【請求項３】
ユーザのプロフィールを記録したＷＥＢページを、前記ユーザの生存中にインターネットを通じて公開するＷＥＢページ公開工程と、
前記ユーザが死亡した後、前記ＷＥＢページに前記ユーザの死を悼む追悼用コンテンツを追加する追悼用コンテンツ追加工程と、
を備え、
前記追悼用コンテンツには、前記ＷＥＢページにインターネットを通じて訪問した訪問者に対して、墓参りに訪れたことを意味するアクセス操作を可能とするコンテンツが含まれることを特徴とする追悼ＷＥＢページの公開方法。
【請求項４】
請求項１ないし請求項３のいずれかに記載の追悼ＷＥＢページの公開方法において、
前記ＷＥＢページは、前記ユーザ本人および／または前記ユーザと関わりのある人物の映像コンテンツを含むことを特徴とする追悼ＷＥＢページの公開方法。
【請求項５】
請求項１ないし請求項４のいずれかに記載の追悼ＷＥＢページの公開方法において、
前記ＷＥＢページは、前記ユーザの家系図を表したコンテンツを含むことを特徴とする追悼ＷＥＢページの公開方法。
【請求項６】
請求項１ないし請求項５のいずれかに記載の追悼ＷＥＢページの公開方法において、
前記ＷＥＢページは、前記ユーザの直筆メッセージを表したコンテンツを含むことを特徴とする追悼ＷＥＢページの公開方法。
【請求項７】
請求項６に記載の追悼ＷＥＢページの公開方法において、
前記ＷＥＢページにおいて前記直筆メッセージが表示されるとともに前記ユーザがメッセージを読み上げる音声が再生されることを特徴とする追悼ＷＥＢページの公開方法。
【請求項８】
請求項１ないし請求項７のいずれかに記載の追悼ＷＥＢページの公開方法において、
前記追悼用コンテンツは、前記訪問者による記帳操作を可能とする記帳操作インターフェースを含み、
前記記帳操作インターフェースを利用して前記訪問者によって記帳されたメッセージが、前記追悼用コンテンツの一部として参照可能に公開されることを特徴とする追悼ＷＥＢページの公開方法。
【請求項９】
請求項１ないし請求項７のいずれかに記載の追悼ＷＥＢページの公開方法において、
前記追悼用コンテンツは、前記訪問者による献花操作を可能とする献花操作インターフェースを含み、
前記献花操作インターフェースにより指定された花の画像が前記追悼用コンテンツの一部として参照可能に公開されることを特徴とする追悼ＷＥＢページの公開方法。
【発明の詳細な説明】
【技術分野】
【０００１】
本発明は、故人の思い出を情報化し、故人を追悼するための場をネットワーク上で提供する技術に関する。
【背景技術】
【０００２】
古来、日本では故人を追悼するための様々な儀式が行われている。家族が死亡したときには、通夜や葬儀が行なわれる。家族、親戚および友人は、故人の家や葬儀会場などに集まり、故人の死を悼むのである。葬儀が終わり四十九日の法要が終わると、納骨が行なわれる。故人の骨は墓に収められ、故人は墓で眠ることになる。
【０００３】
このような風習は仏教の風習であるが、他の宗教においても、故人を墓に安置するという考え方は多い。家族、親戚および友人は、故人の墓参りをし、故人を偲ぶことができる。
【先行技術文献】
【非特許文献】
【０００４】
【非特許文献１】“インターネット霊園”、［ｏｎｌｉｎｅ］、［２００８年１１月１７日検索］、インターネット＜ＵＲＬ：ｈｔｔｐ：／／ｗｗｗ．ｚａｑｚａｑ．ｎｅｔ／ｒｅｉｅｎ／ｉｎｄｅｘ．ｈｔｍ＞
【発明の概要】
【発明が解決しようとする課題】
【０００５】
しかし、近年は核家族化が進んだことやライフスタイルの変化により、お墓を持たない人あるいはお墓を持てない人が多くなってきている。特に都市部では、その変化が顕著にみられ、故人を追悼する方法についての考え方も柔軟になり、故人を埋葬という概念についての捉え方も変化している。
【０００６】
このような観念の変化の中で、お墓を持てないまでも、家族をいつまでも心の奥に大切にしまっておくとともに、故人をより身近に追憶することのできる新しい手段の確立が、潜在的に強く求められてきている。
【０００７】
上記非特許文献１は、インターネット上でお墓参りを可能とするＷＥＢサイトに関する。事情によってお墓を持たない家族は、ＷＥＢサイトにおいて作成された故人のお墓にアクセスすることで、お墓参りをすることが可能となっている。
【０００８】
本発明は前記問題点に鑑み、お墓を持たない故人への追憶の場を構築する技術を提供することを目的とする。あるいは、お墓を持つ個人に対しても充実した追憶の場を構築する技術を提供することを目的とする。
【課題を解決するための手段】
【０００９】
上記課題を解決するため、請求項１記載の発明は、追悼ＷＥＢページの公開方法であって、ユーザのプロフィールを記録したＷＥＢページを、前記ユーザの生存中にインターネットを通じて公開するＷＥＢページ公開工程と、前記ユーザが死亡したとき、前記ＷＥＢページに前記ユーザの死を悼む追悼用コンテンツを追加する追悼用コンテンツ追加工程と、を備え、前記追悼用コンテンツには、前記ＷＥＢページにインターネットを通じて訪問した訪問者に対して、通夜に参列することを意味するアクセス操作を可能とするコンテンツが含まれることを特徴とする。
【００１０】
請求項２記載の発明は、追悼ＷＥＢページの公開方法であって、ユーザのプロフィールを記録したＷＥＢページを、前記ユーザの生存中にインターネットを通じて公開するＷＥＢページ公開工程と、前記ユーザが死亡したとき、前記ＷＥＢページに前記ユーザの死を悼む追悼用コンテンツを追加する追悼用コンテンツ追加工程と、を備え、前記追悼用コンテンツには、前記ＷＥＢページにインターネットを通じて訪問した訪問者に対して、葬儀に参列することを意味するアクセス操作を可能とするコンテンツが含まれることを特徴とする。
【００１１】
請求項３記載の発明は、追悼ＷＥＢページの公開方法であって、ユーザのプロフィールを記録したＷＥＢページを、前記ユーザの生存中にインターネットを通じて公開するＷＥＢページ公開工程と、前記ユーザが死亡した後、前記ＷＥＢページに前記ユーザの死を悼む追悼用コンテンツを追加する追悼用コンテンツ追加工程と、を備え、前記追悼用コンテンツには、前記ＷＥＢページにインターネットを通じて訪問した訪問者に対して、墓参りに訪れたことを意味するアクセス操作を可能とするコンテンツが含まれることを特徴とする。
【００１２】
請求項４記載の発明は、請求項１ないし請求項３のいずれかに記載の追悼ＷＥＢページの公開方法において、前記ＷＥＢページは、前記ユーザ本人および／または前記ユーザと関わりのある人物の映像コンテンツを含むことを特徴とする。
【００１３】
請求項５記載の発明は、請求項１ないし請求項４のいずれかに記載の追悼ＷＥＢページの公開方法において、前記ＷＥＢページは、前記ユーザの家系図を表したコンテンツを含むことを特徴とする。
【００１４】
請求項６記載の発明は、請求項１ないし請求項５のいずれかに記載の追悼ＷＥＢページの公開方法において、前記ＷＥＢページは、前記ユーザの直筆メッセージを表したコンテンツを含むことを特徴とする。
【００１５】
請求項７記載の発明は、請求項６に記載の追悼ＷＥＢページの公開方法において、前記ＷＥＢページにおいて前記直筆メッセージが表示されるとともに前記ユーザがメッセージを読み上げる音声が再生されることを特徴とする。
【００１６】
請求項８記載の発明は、請求項１ないし請求項７のいずれかに記載の追悼ＷＥＢページの公開方法において、前記追悼用コンテンツは、前記訪問者による記帳操作を可能とする記帳操作インターフェースを含み、前記記帳操作インターフェースを利用して前記訪問者によって記帳されたメッセージが、前記追悼用コンテンツの一部として参照可能に公開されることを特徴とする。
【００１７】
請求項９記載の発明は、請求項１ないし請求項７のいずれかに記載の追悼ＷＥＢページの公開方法において、前記追悼用コンテンツは、前記訪問者による献花操作を可能とする献花操作インターフェースを含み、前記献花操作インターフェースにより指定された花の画像が前記追悼用コンテンツの一部として参照可能に公開されることを特徴とする追悼ＷＥＢページの公開方法。
【発明の効果】
【００１８】
本発明の追悼ＷＥＢページの公開方法は、ユーザのプロフィールを記録したＷＥＢページをユーザの生存中に公開し、ユーザが死亡したとき、ＷＥＢページにユーザの死を悼む追悼用コンテンツを追加する。
【００１９】
ユーザは、自分の死後に公開される自己を追悼するＷＥＢページを、生存中から準備することができる。ユーザは、自分の好みで自己を追悼するＷＥＢページをデザインすることができる。
【００２０】
また、インターネットを通じて訪問者がユーザを追悼するＷＥＢページにアクセスすることができるので、より多くの人をユーザの死を追悼する場に招待することができる。
【００２１】
ユーザの死後に追加される追悼用コンテンツには、通夜に参列することを意味するアクセス操作を可能とするコンテンツが含まれる。家族、親戚および知人は、時間的あるいは地理的な制約を受けることなく故人の通夜に参列することができる。
【００２２】
また、追悼用コンテンツには、葬儀に参列することを意味するアクセス操作を可能とするコンテンツが含まれる。家族、親戚および知人は、時間的あるいは地理的な制約を受けることなく故人の葬儀に参列することができる。
【００２３】
また、追悼用コンテンツには、墓参りに訪れたことを意味するアクセス操作を可能とするコンテンツが含まれる。家族、親戚および知人は、時間的あるいは地理的な制約を受けることなく故人の墓参りをすることができる。
【図面の簡単な説明】
【００２４】
【図１】追悼ＷＥＢシステムの全体図である。
【図２】記念館としてのＷＥＢページの役割の変換を示す図である。
【図３】ユーザＡ記念館ページのトップページであるＭａｉｎページを示す図である。
【図４】ユーザＡ記念館ページに含まれるＭｅｍｏｒｉａｌ・Ｇａｌｌｅｒｙページを示す図である。
【図５】ユーザＡ記念館ページに含まれるＦａｍｉｌｙページを示す図である。
【図６】ユーザＡ記念館ページに含まれるＭｅｓｓａｇｅページを示す図である。
【図７】ユーザＡ記念館ページに含まれるＶｉｓｉｔｉｎｇページを示す図である。
【図８】ユーザＡ記念館ページに含まれるＶｉｓｉｔｉｎｇページを示す図である。
【発明を実施するための形態】
【００２５】
｛１．システムの構成｝
以下、図面を参照しつつ本発明の実施の形態について説明する。図１は、実施の形態に係る追悼ＷＥＢシステムの全体図である。追悼ＷＥＢシステムは、ＷＷＷサーバ１１およびデータベースサーバ１２が設置される記念館センター１と、記念館センター１とインターネット２を介して接続されるパーソナルコンピュータ３，３・・・などから構成される。
【００２６】
記念館センター１は、ユーザのパーソナリティ、思い出、メッセージなどを記録したＷＥＢページをユーザの記念館としてインターネット２に配信するセンターである。この実施の形態においてユーザとは、記念館センター１にＷＥＢページを開設しているユーザのことを示している。データベースサーバ１２には、各ユーザの記念館であるＷＥＢページのデータが格納されている。インターネット２に接続されたパーソナルコンピュータ３，３・・・は、ＷＷＷサーバ１１に接続することで、各ユーザの記念館であるＷＥＢページを参照することができる。
【００２７】
データベースサーバ１２には、多数のユーザの記念館用のコンテンツデータが登録されており、記念館センター１は、図に示すように、ユーザＡ、ユーザＢ、ユーザＣ・・・など多数のユーザの記念館としてのＷＥＢページを公開する。以下の説明においては、ユーザＡの記念館としてのＷＥＢページであるユーザＡ記念館ページ５０を一例に挙げて説明する。
【００２８】
｛２．記念館としてのＷＥＢページの役割｝
ユーザＡ記念館ページ５０は、図２に示すように、ユーザＡの生存中に公開される。ユーザＡは、自分自身の画像データ、家族の画像データ、思い出の風景の画像データなどをデータベースサーバ１２に登録する。また、ユーザＡは、“名前”、“生年月日”、“生誕地”、“好きな言葉”、“私のお気に入り”など、自己のプロフィールに関するテキストデータや画像データなどをデータベースサーバ１２に登録する。これら画像データやテキストデータは、ユーザＡの記念館として美しくデザインされたユーザＡ記念館ページ５０のコンテンツとして公開される。
【００２９】
生存中に公開されたユーザＡ記念館ページ５０は、ユーザＡの生存中には、ユーザＡのプロフィールや思い出を紹介する記念館としての役割を有する。ユーザＡのプロフィールデータや思い出の画像データを公開することで、ユーザＡは、自身のパーソナリティを、家族や親戚、友人に紹介することができる。
【００３０】
ユーザＡが生存中に公開するユーザＡ記念館ページ５０は、ユーザＡが死亡した後もユーザＡを偲ぶ記念館として利用されることが前提となっている。ユーザＡは、生存中において、死亡後にも利用するユーザＡ記念館ページ５０を前もって作成するのである。
【００３１】
図２に示すように、ユーザＡが死亡したとき、ユーザＡ記念館ページ５０において、通夜を営むことができるようになっている。また、通夜の後は、ユーザＡ記念館ページ５０において葬儀をとり行うことができるようになっている。後で例を挙げて説明するが、ユーザＡが死亡したときには、ユーザＡ記念館ページ５０に追悼用コンテンツが追加されることで、通夜、葬儀を営むことができるようになっている。つまり、ユーザＡ記念館ページ５０を訪れる人には、通夜、葬儀に出席したことと同様の意味を有する操作インターフェースが提供される。
【００３２】
また、ユーザＡが死亡し、ユーザＡ記念館ページ５０において葬儀をとり行った後、ユーザＡ記念館ページ５０は故人となったユーザＡを偲ぶ記念館として運営を続ける。特に、お墓を持たないユーザＡにとっては、ユーザＡ記念館ページ５０が、ユーザＡのお墓に似た象徴としての役割を有する。ユーザＡ記念館ページ５０を訪れる人には、ユーザＡのお墓参りを行ったのと同様の意味を有する操作インターフェースが提供される。
【００３３】
このように、記念館として作成されるＷＥＢページは、何らかの事情によりお墓も持たないユーザにとっては、ユーザの記憶をいつまでも家族、知人に伝えるためのプロフィールページであるとともに、ユーザの魂を埋葬するお墓としての役割を有するのである。あるいは、お墓を持っているユーザにとっても、記念館として作成されたＷＥＢページは、故人を追悼する新たな充実した場としての役割を有する。
【００３４】
｛３．ＷＥＢページの例｝
次に、図３〜図７を参照して、ユーザＡ記念館ページ５０の内容について説明する。ここで紹介する例では、ユーザＡ記念館ページ５０は、Ｍａｉｎページ５１、Ｍｅｍｏｒｉａｌ・Ｇａｌｌｅｒｙページ５２、Ｆａｍｉｌｙページ５３、Ｍｅｓｓａｇｅページ５４、Ｖｉｓｉｔｉｎｇページ５５の５つのページから構成されている。
【００３５】
図３は、Ｍａｉｎページ５１を示す図である。Ｍａｉｎページ５１は、ユーザＡ記念館ページ５０のトップページとして利用される。Ｍａｉｎページ５１には、図に示すように、ユーザＡの顔写真、“名前”、“誕生日”、“生誕地”、“好きな言葉”が紹介されている。さらに、Ｍａｉｎページ５１には、ユーザＡの“お気に入り”が紹介されている。図の例では、ユーザＡのお気に入りの海外旅行地、音楽、映画などが紹介されている。
【００３６】
Ｍａｉｎページ５１は、ユーザＡがユーザＡ記念館ページ５０を公開する当初から作成されるページである。つまり、ユーザＡの生存中から公開されるページである。このように、Ｍａｉｎページ５１は、ユーザの生存中、死亡後と関わりなく、ユーザのプロフィールページとしての役割を有する。
【００３７】
図４は、Ｍｅｍｏｒｉａｌ・Ｇａｌｌｅｒｙページ５２を示す図である。Ｍｅｍｏｒｉａｌ・Ｇａｌｌｅｒｙページ５２には、ユーザの思い出の画像データ５２１、５２１・・・が表示されている。たとえば、ユーザＡ自身の思い出の写真画像、ユーザＡの家族の写真画像、ユーザＡのペットの写真画像、ユーザＡが住みなれた家の写真画像、旅行先の風景写真画像などが公開される。
【００３８】
Ｍｅｍｏｒｉａｌ・Ｇａｌｌｅｒｙページ５２は、ユーザＡがユーザＡ記念館ページ５０を公開する当初から作成されるページである。このように、Ｍｅｍｏｒｉａｌ・Ｇａｌｌｅｒｙページ５２は、ユーザの生存中、死亡後と関わりなく、ユーザＡの思い出の画像を紹介するページとしての役割を有する。図４で示す例では、静止画像を利用しているが、もちろん動画像を利用してもよい。音声付の動画像を再生すれば、ユーザＡの思い出をより印象的に表現することができる。
【００３９】
ユーザＡは、生存中には、Ｍｅｍｏｒｉａｌ・Ｇａｌｌｅｒｙページ５２を、一般のブログなどと同じように、自分自身の思い出を綴るページとして楽しむことができる。死亡後には、Ｍｅｍｏｒｉａｌ・Ｇａｌｌｅｒｙページ５２は、故人であるユーザＡの思い出や故人の趣味や関わりのあった事柄を、故人の生きた証として後世に伝える役割を有する。
【００４０】
図５は、Ｆａｍｉｌｙページ５３を示す図である。Ｆａｍｉｌｙページ５３には、ユーザＡの家系図が表示されている。Ｆａｍｉｌｙページ５３は、ユーザＡがユーザＡ記念館ページ５０を公開する当初から作成されるページである。このように、Ｆａｍｉｌｙページ５３は、ユーザの生存中、死亡後と関わりなく、ユーザの家族関係を示すページとしての役割を有する。
【００４１】
以上説明したＭａｉｎページ５１、Ｍｅｍｏｒｉａｌ・Ｇａｌｌｅｒｙページ５２、Ｆａｍｉｌｙページ５３が、ユーザＡの生存中から公開されるＷＥＢページである。そして、これら３つのＷＥＢページは、ユーザＡの死亡後も公開されるＷＥＢページである。ユーザＡは、自己が死亡した後も自己の記念館として公開されるＷＥＢページのコンテンツを、生存中に選択し、デザインしておくことができるのである。
【００４２】
図６は、Ｍｅｓｓａｇｅページ５４を示す図である。Ｍｅｓｓａｇｅページ５４には、ユーザＡの直筆のメッセージが紹介されている。
【００４３】
Ｍｅｓｓａｇｅページ５４は、ユーザＡの死亡後に公開されるＷＥＢページである。ユーザＡは、生存中に、予めＭｅｓｓａｇｅページ５４において公開する直筆のメッセージを書き残しておく。直筆のメッセージはスキャニングされ、画像データとして、データベースサーバ１２に登録されている。ユーザＡが死亡したとき、家族が記念館センター１の担当者に連絡をとることで、Ｍｅｓｓａｇｅページ５４が公開される。
【００４４】
このように、Ｍｅｓｓａｇｅページ５４において、ユーザＡは、自分の死亡後に家族や知人に残したいメッセージを公開することができる。ユーザＡが生存中に書き残した直筆のメッセージは、データベースサーバ１２に登録されるが、家族にはその内容は伏せておけばよい。家族は、記念館センター１に連絡をとることによってアップされたメッセージを始めて目にすることができる。
【００４５】
図の例では、直筆のメッセージを１通だけ公開しているが、大切な人それぞれに対して作成された直筆のメッセージを公開するようにしてもよい。また、Ｍｅｓｓａｇｅページ５４において、直筆メッセージを表示させるとともに、直筆メッセージを読み上げるユーザＡの音声を再生するようにしてもよい。ユーザＡは、生存中に予めメッセージを録音しておき、音声データをデータベースサーバ１２に登録しておけばよい。
【００４６】
図７は、Ｖｉｓｉｔｉｎｇページ５５を示す図である。Ｖｉｓｉｔｉｎｇページ５５は、ユーザＡの死亡後に公開されるＷＥＢページである。Ｖｉｓｉｔｉｎｇページ５５は、ユーザＡが死亡した後に、ユーザＡの死を悼む家族、親戚および友人が訪れるページである。
【００４７】
Ｖｉｓｉｔｉｎｇページ５５には、ページの中央に、ユーザＡの顔写真、名前が表示されている。また、ユーザＡの名前の下に、ユーザＡの生誕日と命日、さらには生誕地が表示されている。なお、図３で示したＭａｉｎページ５１は、ユーザＡの生存中に公開されている内容であるので、ユーザＡの生誕日だけが表示されている。ユーザＡの死亡後、Ｖｉｓｉｔｉｎｇページ５５の公開とあわせて、Ｍａｉｎページ５１においても、生誕日と命日を表示するよう表示内容が変更される。
【００４８】
そして、それらパーソナル情報の表示欄の下には、訪問者が名前を入力するための入力インターフェースである名前入力部５５１と、記帳を行う入力インターフェースである記帳部５５２と、献花操作を行う献花操作部５５３とが配置されている。
【００４９】
Ｖｉｓｉｔｉｎｇページ５５は、ユーザＡが死亡した当日などは、通夜を営むページとして利用される。訪問者は、Ｖｉｓｉｔｉｎｇページ５５に訪れることで、通夜に出席したのと同様の意味を有する操作を行うことができる。
【００５０】
Ｖｉｓｉｔｉｎｇページ５５は、ユーザＡが死亡した翌日などは、葬儀をとり行うページとして利用される。訪問者は、Ｖｉｓｉｔｉｎｇページ５５に訪れることで、葬儀に出席したのと同様の意味を有する操作を行うことができる。
【００５１】
訪問者は、まず、名前入力部５５１において、自分の名前を入力する。続いて、訪問者は、記帳部５５２において、故人へのメッセージを入力する。そして、訪問者は、献花操作部５５３において、献花する花を選択する。ここでは、５種類の花が用意されており、訪問者は、いずれかのラジオボタンを選択することで、いずれかの花を選択することができる。
【００５２】
訪問者が、記帳および献花操作を終えて、“書き込む”ボタン５５４をクリックすると、訪問者の記帳内容がＶｉｓｉｔｉｎｇページ５５において紹介される。図８は、Ｖｉｓｉｔｉｎｇページ５５を、図７の状態から下にスクロールさせた状態を示している。Ｖｉｓｉｔｉｎｇページ５５には、訪問者の名前と訪問者が書き込んだ記帳内容が表示されている。また、記帳内容とあわせて献花操作部５５３において選択された花の画像が表示されている。
【００５３】
このように、訪問者は、ブログや掲示板に書き込みをするのと同じような操作で記帳を行うことができる。実際に、会場で実施される通夜や葬儀である場合には、遠方であるという理由、スケジュールがどうしてもとれないという理由などで、やむを得ず欠席をせざる得ないケースがある。しかし、本実施の形態であれば、訪問者は、日本あるいは世界のどの場所にいても、インターネットに接続することで、都合のよい時間に、Ｖｉｓｉｔｉｎｇページ５５において記帳を行うことができる。
【００５４】
実際に会場で行われる通夜や葬儀は、家族や知人が故人のために１つの場所に集まるという大切な機会である。このシステムで実施される通夜や葬儀は、従来から行われている通夜や葬儀のように実際に人が集まるという場ではないが、地理的、時間的な制約を越えて、より多くの人がインターネット２を通じて、故人の記念館に記帳を行えるという良さがある。訪問者にとって地理的あるいは時間的な制約がなくなるので、より多くの人に記念館に訪問してもらい、より多くの人に記帳をしてもらえることになり、故人、家族にとっても、大きな幸せを感じられることになる。
【００５５】
図７においては、Ｖｉｓｉｔｉｎｇページ５５は、トップページであるメインページ５１と同じようなデザイン構成となっているが、もちろんＶｉｓｉｔｉｎｇページ５５のデザインを様々に変更することができる。たとえば、特定の宗教に風習にあわせたデザインとしてもよい。
【００５６】
また、上記の例では、特に、通夜と葬儀の場合とでＶｉｓｉｔｉｎｇページ５５の違いを説明しなかったが、たとえば、通夜や葬儀の風習にあわせて、それぞれ異なるデザインを施せばよい。
【００５７】
また、Ｖｉｓｉｔｉｎｇページ５５は、ユーザＡが死亡した後、適当な日が経過した後は、故人であるユーザＡのお墓参り用のページとして利用される。訪問者は、Ｖｉｓｉｔｉｎｇページ５５に訪れることで、お墓参りをしたのと同様の意味を有する操作を行うことができる。
【００５８】
操作方法は、上述した場合と同様である。訪問者は、名前入力部５５１、記帳部５５２、および献花操作部５５３を操作することで、お墓参りを意味する操作を行うことができる。
【００５９】
もちろん、Ｖｉｓｉｔｉｎｇページ５５は、通夜と葬儀が終わった後、デザインを変更してもよい。たとえば、仏教を宗教とするユーザであれば、四十九日の法要が終わった後に、デザインを変更するなどしてもよい。
【００６０】
このように、Ｖｉｓｉｔｉｎｇページ５５は、通夜、葬儀や墓参りなどと同様、故人を追悼する場としての役割を有するページである。実際に、会場などで行われる通夜や葬儀であれば、故人の遺影が掲げられる。家族は、故人の遺影として使用する写真を探すことになるが、適当ないい写真が見つからないことがある。あるいは、故人が生前気に入っていた写真が分かっていればよいが、分からない場合が多い。この点、Ｖｉｓｉｔｉｎｇページ５５においては、ユーザＡが生前に自ら写真を選択しておくことができる。ユーザＡは、自分の一番のお気に入りの写真を使用することができる。
【００６１】
上記の実施の形態においては、ユーザＡは、生存中にＭａｉｎページ５１、Ｍｅｍｏｒｉａｌページ５２、Ｆａｍｉｌｙページ５３を公開し、死亡後に、Ｍｅｓｓａｇｅページ５４、Ｖｉｓｉｔｉｎｇページ５５を公開することとした。つまり、Ｍｅｓｓａｇｅページ５４とＶｉｓｉｔｉｎｇページ５５は、追悼用コンテンツとして予めデータベースサーバ１２に登録されており、ユーザＡの死亡後、これら追悼用コンテンツが、ユーザＡ記念館ページ５０に追加され、ＷＷＷサーバ１１によって公開されるのである。上述した生存中、死亡後に公開するページの種類はもちろん一例であり、生存中公開するページと死亡後公開するページは、様々なパターンを考えることができる。
【００６２】
たとえば、Ｍｅｓｓａｇｅページ５１を、ユーザＡの生存中から公開するようにしてもおい。そして、ユーザＡが死亡したタイミングで、メッセージの内容を差し替えるようにしてもよい。たとえば、ユーザＡの生存中は、ユーザＡの日記をメッセージとして紹介し、ユーザＡの死亡後は、ユーザＡの遺言のようなメッセージを紹介するようにしてもよい。
【００６３】
また、Ｆａｍｉｌｙページ５３をユーザＡの死亡後に公開するようにしてもよい。また、Ｍｅｍｏｒｉａｌ・Ｇａｌｌｅｒｙページ５２において表示される画像データは、ユーザＡの生存中と死亡後で異ならせてもよい。この場合でも、ユーザＡが自ら、生存中、死亡後に表示するお気に入りの写真を選択しておけばよい。
【００６４】
ユーザＡ記念館ページ５０に、アクセスパスワードを掛けるかどうかは自由である。家族、親戚だけがアクセスできるようにパスワードを掛けてもよい。知人にアクセスＵＲＬとアクセスパスワードを連絡するようにしてもよい。あるいはパスワードを掛けずに、インターネット２を通じてアクセスする全ての人に訪問してもらえるようにしてもよい。
【符号の説明】
【００６５】
１    記念館センター
２    インターネット
３    パーソナルコンピュータ
５０    ユーザＡ記念館ページ
５１    Ｍａｉｎページ
５２    Ｍｅｍｏｒｉａｌ・Ｇａｌｌｅｒｙページ
５３    Ｆａｍｉｌｙページ
５４    Ｍｅｓｓａｇｅページ
５５    Ｖｉｓｉｔｉｎｇページ
５５１    名前入力部
５５２    記帳部
５５３    献花操作部
【図１】
2010207514.tif 000003
【図２】
2010207514.tif 000004
【図３】
2010207514.tif 000005
【図４】
2010207514.tif 000006
【図５】
2010207514.tif 000007
【図６】
2010207514.tif 000008
【図７】
2010207514.tif 000009
【図８】
2010207514.tif 000010